(57)【要約】      （修正有）【課題】従来の歯科技工作業をする上で、コンパクトな構造で気泡混入のない歯科用補綴物が製作できる光重合用加圧容器を提供する。【解決手段】歯科技工用光重合装置内に被重合物を内在させる容器であって、被重合物を収納するベース部２とベース部内の被重合物を気密状態に保つ為の蓋部３、気密にした内部に圧縮気体を導入する圧力導入部５、圧力導入により過加圧を防ぐ為の安全弁４を有し、ベース部内に被重合物を載置し歯科技工用光重合装置内に着脱自在に設置することを特徴とする光重合用加圧容器１を用い、被重合物８を収納し圧力導入部から圧縮気体を導入し、技工用光重合器内に載置し、加圧状態のまま重合可能とする。 【選択図】図１
2008125937.tif 000002
【特許請求の範囲】
【請求項１】
歯科技工用光重合装置内に被重合物を内在させる容器であって、被重合物を収納するベース部とベース部内の被重合物を気密状態に保つ為の蓋部、気密にした内部に圧縮気体を導入する圧力導入部、圧力導入により過加圧を防ぐ為の安全弁を有し、ベース部内に被重合物を載置し歯科技工用光重合装置内に着脱自在に設置することを特徴とする光重合用加圧容器。
【請求項２】
蓋部に光透過性材料を用いることを特徴とする請求項１記載の光重合用加圧容器。
【請求項３】
請求項1記載の光重合用加圧容器内に被重合物を収納し圧力導入部から圧縮気体を導入し、技工用光重合器内に載置し、加圧状態のまま重合可能とすることを特徴とする被重合物の硬化方法。
【発明の詳細な説明】
【技術分野】
【０００１】
本発明は歯科技工分野における光重合型硬質レジンによる歯科用補綴物作製時に用いられる光重用加圧合容器に関する。
特に、光重合装置内に補綴物を内在させてそのまま光照射し、補綴物を硬化させる光重合用加圧容器に関する。
【背景技術】
【０００２】
歯科技工作業の補綴物の作製方法は、コーピングなどの土台部分に歯科用光重合材料をスパチュラなどを用いて圧接しながら盛り上げる操作（以下築盛）をして補綴物形状とするものである。技工作業において術者に要求されることは、確実な築盛技術と作業スピードの両立である。
【０００３】
確実な築盛技術とは、適切な形態付与と築盛作業時の気泡の混入を防止することにあるが、適切な形態付与に注力すると、気泡の巻き込みへの注意力が緩慢になり、気泡を混入させてしまうことがあった。格段に注意を払ったとしても、気泡が巻き込むことも少なくなかった。
【０００４】
また、作業スピードに関しては、適切な形態付与を迅速に行うことに注力する余り、複雑なキャラクタを構成する場合や、デンチン層、エナメル層、サービカル層、インサイザル層などの各築盛工程を得る必要がある前歯前装冠などの作製時には気泡の巻き込みを招いてしまう恐れがある。
【０００５】
もし、築盛硬化の後に気泡の巻き込みが確認された場合は、気泡部分まで研削材などで取り除き、再度築盛作業を繰り返さなければならない。その為、作業効率、光熱費、材料消費量のロスも生じてしまう問題があった。
【０００６】
ＵＳ６８４３９２７Ｂ２号には、加圧機能を付与させた光重合器が紹介されているが、その効果・機構についての明細な記述はされていない。しかしながら、本構造では従来の光照射を行なう重合室を耐圧構造にせねばならず、且つ、加圧・排圧機構を追加する必要があり、重合器として複雑で部品点数が多く、動作不良や故障の危険性があり、組立工数が多くなるという問題があった。
さらに、加圧作業を伴わない光重合作業時には耐圧構造が邪魔になり、作業性を悪化させる問題があった。
【０００７】
公開特許公報平１１−５８１４７号には、プレス器を用いた空気加圧埋没器が紹介されている。しかしながら、本空気加圧埋没器は、高価なプレス器を必要とするほか、非常に大きな構造で広い設置スペースを必要とし、光重合器の狭い重合室に載置することは不可能であった。
【特許文献１】ＵＳ６８４３９２７Ｂ２
【特許文献２】公開特許公報平１１−５８１４７号
【発明の開示】
【発明が解決しようとする課題】
【０００８】
本発明は従来の歯科技工作業及び技工用光重合器が有する上述のごとき諸問題を解決し、安価でコンパクトな構造で気泡混入のない歯科用補綴物が製作できる光重合用加圧容器を提供する。特に従来から使用している光重合装置をそのまま用い、加圧が必要な場合とそうでない場合とを使い分けることが求められていた。
【０００９】
従来の歯科技工作業は歯科用補綴物に気泡を混入させ、再度築盛作業を繰り返したり、作業効率、光熱費、材料消費量のロスを生じる問題があった。
【００１０】
従来の技工用光重合器に加圧機能を付与させると、複雑で部品点数が多く、動作不良や故障の危険性があり、且つ、組立工数が多くなるという問題があった。
【課題を解決するための手段】
【００１１】
本発明は歯科技工用光重合装置内に被重合物を内在させる容器であって、ベース部とベース部内の被重合物を気密状態に保つ為の蓋部、気密にした内部に圧縮気体を導入する圧力導入部、圧力導入により過加圧を防ぐ為の安全弁を有し、ベース部内に被重合物を載置し歯科技工用光重合装置内に着脱自在に設置できることを特徴とする光重合用加圧容器である。
【００１２】
更に蓋部に光透過性材料を用ることを特徴とする光重合用加圧容器である。
【００１３】
本発明は光重合用加圧容器内に被重合物を収納し圧力導入部から圧縮気体を導入し、技工用光重合器内に載置し、加圧状態のまま重合可能とすることを特徴とする被重合物の硬化方法である。
【００１４】
本発明は光照射によって光重合型硬質レジンを重合し、歯科用補綴物を作製する技工作業において、被重合物を収納するベース部と気密状態を保つ蓋部、加圧機構から圧縮気体を導入する着脱機能を有する圧力導入部、過加圧を防ぐ為の安全弁を構成要素に有し、光照射の前に築盛した歯科用補綴物を載置し、圧縮気体による圧力によって歯科用補綴物内部の気泡を除去或いは微小化することを特徴とした光重合用加圧容器である。
【発明の効果】
【００１５】
本発明の技工用光重合用加圧容器を技工作業に用いることにより、気泡混入の心配なく歯科用補綴物を作製することが出来、築盛作業の繰り返しがなく、作業効率、光熱費、材料消費量のロスを生じない。
更に、加圧を必要とする場合と必要としない場合と両方の使い分けが可能であり、更に今まで利用していた光重合装置をそのまま用いることができる。
【００１６】
また、加圧に圧縮気体を用いるため、特別な加圧装置を用いる必要がなく、安価でコンパクトな構造とすることができる。
さらに、従来の光重合器内に載置できるので、高価で複雑な耐圧構造を持った光重合器を新たに購入する必要がない。
【発明を実施するための最良の形態】
【００１７】
ベース部とは、盤状をしており、中央部に被重合物を載置する部分を有する。好ましくはベース部に圧力導入部と安全弁を有する。
気密状態に保つ為の蓋部とは、ベース部の中央に載置された被重合物を覆うような形状をしており、被重合物の硬化する波長を８０％以上透過する材質で作製されている。好ましくは９０％、更に好ましくは９９％透過する材質であることが好ましい。
安全弁とは、なんらかのトラブルにより導入される圧力が規定圧力よりも高くなった場合に、容器の破裂等を防ぐために容器内の過剰圧力を外部へ逃がすものである。好ましくは、安全弁はバネ式のものであり、バネ圧を超える圧力が加わったときに弁が開く構造とすることである。
本発明のベース部と蓋部はボルト若しくはロック機構により気密にできるように接続されている。好ましくは、蓋部をキャップ状としベース部にねじ込む構造とすることである。蓋部とベース部の接合面はパッキン又はO-リングにより気密性が保たれる。
【００１８】
蓋部及びベース部の材質はアルミニウム等の金属材料、ガラスや樹脂よりなる。
好ましくは、ガラスやアクリル樹脂、ポリカーボネート樹脂等の光透過性材料であり、さらに好ましくは、ポリカーボネート樹脂である。
なお、光透過性材料の採用は、蓋部のみとしても良い。
【００１９】
圧縮気体は空気が好ましく、さらに好ましくは窒素ガス若しくはアルゴンガスで、歯科用補綴物の硬化時に酸素による重合阻害を防ぎ、物性の低下を防止することが出来る。
圧縮気体の圧力は０．１〜０．５ＭＰａの範囲が好ましく、さらに好ましくは０．３〜０．４ＭＰａである。
【００２０】
圧力導入部は、レギュレータにより圧力調整された圧縮気体を導入するチューブと連結されており、バルブ又は弁機構によりチューブと分離した時に圧力を保持する構造となっている。好ましくは、圧力導入部は弁内臓型カプラで、脱着がワンタッチで行えるのが更に好ましい。
使用方法としては、上記し示した光重合用加圧容器内に被重合物を収納し圧力導入部からポンプを用いて圧縮気体を導入し所定の内圧とする。急激に加圧すると内部の補綴物に影響する恐れがあるため、十分注意して導入する。
次に、既存の技工用光重合器内に光重合用加圧容器を載置し、加圧状態のまま重合を開始する。その結果、重合物内の気泡は小さくなるか又は滅している状態となる。
重合終了後は、カプラに内蔵された弁を開くことにより加圧を開放する。
【００２１】
気泡の入りやすいコンポジットの築盛の術式においても、本発明の容器を用いれば容易に気泡の無い補綴物を完成させることができる。以下に気泡の入りやすいコンポジットの築盛の術式について、例示する。
クラウン、ブリッジ、デンチャーなどの歯科補綴物を作製する技工操作において、作業用模型にワックスアップした外形を透明シリコンを用いて印象を採得し、そのワックスを取り除き、光重合レジンペーストを作業用模型と透明シリコンの陰形と作業用模型の間に押し込み、本発明の光重合用加圧容器に入れて加圧したまま光重合を行うことにより、気泡の巻き込みが多かった補綴物を、気泡のない補綴物に完成させることができる。
【実施例】
【００２２】
以下に本発明の実施例について記載する。加圧容器１は、ベース２、キャップ３、安全弁４、カプラ（オス）５、Ｏ−リング６より構成される。
【００２３】
安全弁４とカプラ（オス）５はベース２に設置され、それぞれがベース２の載置台９の設置スペースとガス通路７により連絡されている。
【００２４】
重合前の築盛された歯科用補綴物８を載置した載置台９を設置後、キャップ３をベース２にねじ込み接続する。
【００２５】
加圧機構１０より供給される圧縮気体を圧力調整器１１により圧力０．３ＭＰａに調整後、チューブ配管に接続されたカプラ（メス）１２をカプラ（オス）５に接続することにより、加圧容器１内に圧縮気体が注入され、重合前の築盛された歯科用補綴物８内の気泡が除去或いは微小化される。
【００２６】
圧縮気体注入後、カプラを外し、加圧容器１を光重合器内に設置し、所定の時間光照射を行ない重合を行なう。
【産業上の利用可能性】
【００２７】
本発明は、歯科技工士が歯科用補綴物作製時の重合工程に用いられるものである。
【図面の簡単な説明】
【００２８】
【図１】光重合用加圧容器断面図
【図２】光重合用加圧容器配管系統図
【符号の説明】
【００２９】
１    加圧容器
２    ベース
３    キャップ（蓋）
４    安全弁
５    カプラ（オス）
６    Ｏ−リング
７    ガス通路
８    歯科用補綴物
９    載置台
１０  加圧機構
１１  圧力調整器
１２  カプラ（メス）
【図１】
2008125937.tif 000003
【図２】
2008125937.tif 000004